(57)【特許請求の範囲】
【請求項１】
断熱材が発泡充填されて形成された本体に開口を設け、この開口より、カスケードコンデンサを取り付ける冷凍庫において、
前記カスケードコンデンサを被う第１の断熱材と、この第１の断熱材を被うと共に、前記開口を閉塞するように取り付けられる内側カバーと、前記内側カバーの表面に設けられる第２の断熱材と、前記第２の断熱材を被う外側カバーを備えることを特徴とする冷凍庫。
【発明の詳細な説明】
【０００１】
【発明の属する技術分野】
本発明は、冷凍庫、特に、庫内を−８０℃以下という超低温に冷却して、例えば細胞や微生物などを保管するというバイオ分野において用いられる超低温冷凍庫に関する。
【０００２】
【従来の技術】
このような冷凍庫は二元冷凍装置を用いている。二元冷凍装置を用いたものとして、例えば、特開平３−２６０５５７号公報がある。図２はその二元冷凍装置の冷媒回路図を示している。同図で、Ｓ１は高温側冷凍サイクルを、また、Ｓ２は低温側冷凍サイクルを示している。高温側冷凍サイクルＳ１を構成する圧縮機１の吐出側配管２は補助凝縮器３に接続され、補助凝縮器３は圧縮機１のオイルクーラー４、補助凝縮器５、低温側冷凍サイクルＳ２を構成する圧縮機６のオイルクーラー７、凝縮器８、乾燥器９、キャピラリーチューブ１０を順次経て、カスケードコンデンサ１１に接続されて受液器１２を経て吸込側配管１３にて圧縮機１に接続されている。１４は各凝縮器３、５及び８の冷却用ファンである。
【０００３】
低温側冷凍サイクルＳ２の圧縮機６の吐出側配管１５はオイル分離器１６に接続され、そこで分離された圧縮機オイルは、リターン配管１７にて圧縮機６に帰還せられる。一方冷媒は配管１８に流入して吸込側熱交換器１９と熱交換した後、カスケードコンデンサ１１内の配管２０内を通過して凝縮し、乾燥器２１、キャピラリーチューブ２２を経て入口管２３より蒸発器２４に流入し、出口管２５より出て吸込側熱交換器１９内を経て圧縮機６の吸込側配管２６より圧縮機６に帰還する構成である。２７は膨脹タンクでありキャピラリーチューブ２８を介して吸込側配管２６に接続されいる。
【０００４】
このような冷凍装置において、低温側冷凍サイクルの蒸発器で、−８０℃以下の超低温となり、カスケードコンデンサでも約−４０℃の低温になる。そのため、カスケードコンデンサ部分の断熱を十分行わなければならない。
【０００５】
この場合に、カスケードコンデンサは、本体の背面部に形成した取り付け用の開口部から組み込む構造を採用し、カスケードコンデンサの修理や点検などサービスがやり易いようになっている。
【０００６】
この構成のため、本体内部に、カスケードコンデンサやその他の冷凍回路部品、例えばデハイドレータやデフロストヒータなどをも収蔵した後、前記開口には、開口を塞ぐに十分な大きさと厚みのある断熱材を配し、最後に金属製のカバーなどで外面を覆うことで、開口部における冷凍庫の断熱構造を十分に施し、本体外面の露付きを防止するとともに、カスケードコンデンサ等が外部から損傷を受けないように保護している。
【０００７】
【発明が解決しようとする課題】
しかし、開口部に上記のような厚みのある断熱材を施したことにより、その断熱材の厚みの分だけ、本体の背面に張出部があるといった構造となってしまう。このような張出部の存在は、冷凍庫を室内に搬入する際に邪魔となり、設置場所の搬入口につかえて搬入が困難になるという不具合が生じる場合がある。また、この張出部の断熱材の厚み分を全体にわたって確保した製品設計とすれば、外形を大きくしなければ、その分だけ庫内容積が小さい冷凍庫となってしまうという問題がある。
【０００８】
本発明は上記問題に鑑みて成されたもので、庫内容積を狭くすることなく十分な断熱構造を持ったうえに、搬入等の支障もないという断熱部の構造に改善した冷凍庫を提供することを目的とする。
【０００９】
【課題を解決するための手段】
上記目的を達成するために、本発明では、断熱材が発泡充填されて形成された本体に開口を設け、この開口より、カスケードコンデンサを取り付ける冷凍庫において、前記カスケードコンデンサを被う第１の断熱材と、この第１の断熱材を被うと共に、前記開口を閉塞するように取り付けられる内側カバーと、前記内側カバーの表面に設けられる第２の断熱材と、前記第２の断熱材を被う外側カバーを備えるものである。
【００１０】
この構成により、外側カバーと第２の断熱材は外せるので、設置場所の搬入口が狭く、張出部が邪魔になるような場合でも、冷凍庫を搬入することが可能となる。この時、内側カバーは取り外す必要はないので、搬入時に、本体内部のカスケードコンデンサや周辺冷凍回路部品が破損したり、本体内部に異物が入り込んだりする危険性がなく、確実に搬入することができる。
【００１１】
このように、内側と外側の２枚の断熱材を重ねた断熱構造とすることで、断熱部の厚みを十分に取って、所望の断熱性を確保することができ、冷凍庫外面に露が付かないようにすることができる。
【００１２】
【発明の実施の形態】
以下、本発明の実施形態を図面に基づき説明する。
【００１３】
図１は冷凍庫の全体構造図である。この冷凍庫１は、前方が開口した鋼板製の外箱と、この外箱内に間隔を存して組み込まれる前方が開口した焼付塗装鋼板製の内箱と、両箱間に現場発泡方式にて充填された発泡ポリウレタン断熱材とから、本体１Ａが構成されている。そして、本体１Ａの前面開口に扉２が開閉自在に設けられた構成のものである。また、本体１Ａの下部にはアングル構造の設置脚３が設けられ、重量のある本体１Ａを安定に設置可能としている。
【００１４】
本体１Ａは、従来例と同様の、高温側冷凍サイクル及び低温側冷凍サイクルから構成される二元冷凍装置を内蔵している。４はその冷凍装置内のカスケードコンデンサを示し、このカスケードコンデンサ４は、本体１Ａ背面の予め確保した外方に開口５する収納凹所６に、本体１Ａの断熱材発泡後に組み入れられるようになっている。
【００１５】
このような構成としたのは、冷凍庫の定期的点検や冷却不良など故障があった時に、カスケードコンデンサ４又は周辺冷凍回路部品を本体１Ａから取り出し、修理や点検、交換作業などのサービスが容易に行えるようにすることを考慮したものである。
【００１６】
前記凹所６には、カスケードコンデンサ４が開口５から収納設置されると共に、デハイドレータやデフロストヒータなどの周辺冷凍回路部品も一緒に所定の箇所に配設される。
【００１７】
そして、カスケードコンデンサ４の周面には、断熱材７，断熱材８が位置しており、収納凹所６とカスケードコンデンサ４との間の隙間が埋められると共に、平板状の第１の断熱材９により開口５全体を塞ぐように被せられる。この第１の断熱材９は後述の、より外方に位置する断熱材と対になる関係にあるので、内側断熱材と言えるものである。
【００１８】
第１の断熱材９が施された後に、平板状の内側カバー１１が覆着されて、開口５は塞がれる。この内側カバー１１は、前記開口５より若干大きく形成された四角形状の金属製カバーで、周辺をビス等にて複数箇所１２、１２……締着固定して、本体１Ａ背面に取り付けられる。
【００１９】
ここで、カスケードコンデンサ４は、約−４０℃の低温となるので、その周辺の本体外面には露が付着する恐れがある。それ故、この部分の断熱を十分に行うために、断熱材の厚みは相当に厚くして、その外側にカバー部が覆うという断熱構造となる。しかしながら、単純に前述の第１の断熱材９の厚みを増やして対応する方法では、本体の背部に断熱材の厚み分だけ張出部が存在し、これが冷凍庫の設置時に邪魔となり、搬入口につかえて搬入が困難となる場合がある。
【００２０】
なお、この時、前述の断熱材９及び内側カバー１１を取り外して搬入することもできるが、内部のカスケードコンデンサ４や周辺冷凍回路部品がむき出しのまま搬入することになるため、冷凍回路や構成部品の破損や、本体内部に異物が入り込んだりする危険性が生じる。
【００２１】
本発明は、それを考慮して改善したものである。すなわち、前述の内側カバー１１の外側に、第２の断熱材１６とそれを被う外側カバー１３が設けられている。外側カバー１３は、第２の断熱材１６を収納する凸形状のカバー部１３Ｋを備えた金属製のカバーである。
【００２２】
この外側カバー１３の外周には複数のビス取り付け孔１４，１４……が設けられた外周フランジ１３Ｆを備えており、これらに取り付けビス（図示せず）を挿通して、前記内側カバー１１に脱着可能に取り付けられている。
【００２３】
この第２の断熱材１６は、前述の第１の断熱材９とほぼ同一寸法の板状のものであるが、その大きさ、厚みは、本体１Ａの露の付着状況（カスケードコンデンサ４の温度）に応じて適宜変更することができる。第２の断熱材１６を第１の断熱材９よりも大きくする場合、それに合わせて内側カバー１１を大きくして取り付けても良いし、本体１Ａに取り付けるようにしても良い。
【００２４】
このように、第１の断熱材９と第２の断熱材１６という２枚の断熱材を重ねて配置することにより、断熱部１７の厚みを十分に確保することができて、カスケードコンデンサの断熱は十分となり、本体外壁面の露付きを防止できる。
【００２５】
しかも、本体背部から張り出している第２の断熱材１６および外側カバー１３は、取り付けビスを外すことにより、両方とも簡単に取り外すことができる。
【００２６】
よって、冷凍庫１の断熱部１７の張出部で、搬入口（例えばドア間口）でつかえ、搬入が出来ないという様な状況であっても、上記外側カバー１３および第２の断熱材１６を取り外して搬入することができ、搬入後、再び第２の断熱材１６及び外側カバー１３を元の状態に取り付ければ良い。
【００２７】
なお、１８は冷凍庫１を設置した時に、冷凍庫背面を設置壁面から所定距離離間させて、冷却用の空間を確保するための間隔保持部であり、また、２０は温度センサのカバーで、１９はセンサ配線カバーである。これらも搬入時に取り外せるようになっている。
【００２８】
【発明の効果】
以上のように、本発明によれば、本体背面の開口から内部に組み込んだカスケードコンデンサを断熱材で覆った後にカバーした場合に、断熱材の厚み分だけ張出部となるのを、カバーを二重構造とし、内側の平板状のカバーと外側の凸状のカバーの間に断熱材を配して、外側カバーと断熱材を脱着可能としたので、搬入口から冷凍庫を搬入する際に、邪魔にならないように断熱部の張出部をなくして、容易に搬入が可能となる。
【００２９】
また、この搬入時、内側カバーは取り外す必要はないので、搬入時に、本体内部のカスケードコンデンサや周辺冷凍回路部品が破損したり、本体内部に異物が入り込んだりする危険性がなく、確実に搬入することができる。
【００３０】
また、断熱構造は、内側カバーで覆われる第１の断熱材（内側断熱材）と、該内側断熱材より厚めの第２の断熱材（外側断熱材）を重ねた構造の断熱部としてあるので、断熱部の厚みも十分にあり、断熱効果は十二分に発揮され、冷蔵庫外面の露付きの問題もないものである。
【図面の簡単な説明】
【図１】二重断熱カバー部構造の組立構造を示した本発明冷凍庫の構造図である。
【図２】従来の二元冷凍装置の冷凍回路図である。
【符号の説明】
１  冷凍庫
１Ａ  本体
４  カスケードコンデンサ
５  開口
９  第１の断熱材（内側断熱材）
１１  内側カバー
１３  外側カバー
１６  第２の断熱材（外側断熱材）
１７  断熱部
【図１】
0003728114.tif 000002
【図２】
0003728114.tif 000003